(57)【要約】【課題】  埃等の異物を吐出口に付着させたり、吐出口内部にまで進入させたりすることなく、吸引動作の後に吐出口面に残留するインクの量を少量に抑えることができる液滴吐出ヘッド用回復装置及び回復方法を提供する。【解決手段】  キャップ２１０を吐出口面１０１に当接させることでその間に形成されるキャップ内空間２５０を吸引手段２２５により負圧にしているときに、該キャップ内空間に装填されたインク吸収体２４０を吐出口面には接触するが吐出口には接触しないように構成する。【選択図】  図４
2006312262.tif 000002
【特許請求の範囲】
【請求項１】
液滴吐出ヘッドの吐出口を覆うために吐出口面に当接可能なキャップと、前記吐出口面と前記キャップとの間のキャップ内空間を負圧にするための吸引手段と、を備える液滴吐出ヘッド用回復装置において、
前記キャップ内空間に、前記吸引手段が前記キャップ内空間を負圧にしているときに前記吐出口面には接触するが前記吐出口には接触しないインク吸収体を装填することを特徴とする液滴吐出ヘッド用回復装置。
【請求項２】
前記インク吸収体は、前記吸引手段が前記キャップ内空間を負圧にしているとき以外は前記吐出口面に接触しないことを特徴とする請求項１に記載の液滴吐出ヘッド用回復装置。
【請求項３】
前記キャップの少なくとも前記吐出口面との当接部は弾性材で形成され、前記インク吸収体は、前記吸引手段が前記キャップ内空間を負圧にするときの前記キャップの当接部の弾性変形によって前記吐出口面に接触することを特徴とする請求項１又は２に記載の液滴吐出ヘッド用回復装置。
【請求項４】
前記キャップ内空間を大気と連通させるか否かを制御する大気連通制御手段を有することを特徴とする請求項１〜３のいずれか１項に記載の液滴吐出ヘッド用回復装置。
【請求項５】
液滴吐出ヘッドの吐出口を覆うために吐出口面に当接可能なキャップと、前記吐出口面と前記キャップとの間のキャップ内空間を負圧にするための吸引手段と、を用いる液滴吐出ヘッド用回復方法において、
前記キャップ内空間に、前記吸引手段が前記キャップ内空間を負圧にしているときに前記吐出口面には接触するが前記吐出口には接触しないインク吸収体を装填し、前記吸引手段によって前記キャップ内空間を負圧にした後、前記大気連通制御手段によって前記キャップ内空間を大気と連通させることを特徴とする液滴吐出ヘッド用回復方法。
【請求項６】
液滴吐出ヘッドの吐出口を覆うために吐出口面に当接可能なキャップと、前記吐出口面と前記キャップとの間のキャップ内空間を負圧にするための吸引手段と、を用いる液滴吐出ヘッド用回復方法において、
前記キャップ内空間に、前記吸引手段が前記キャップ内空間を負圧にしているときに前記吐出口面には接触するが前記吐出口には接触しないインク吸収体を装填し、前記キャップ内空間に絶対値が所定値以上の負圧を一気に作用させた後、前記キャップ内空間の負圧の絶対値が前記所定値の所定割合以上である間に、前記キャップ内空間を前記大気連通制御手段によって大気と連通させることを特徴とする液滴吐出ヘッド用回復方法。
【請求項７】
前記所定値が約３０ｋＰａであり、前記所定割合が約５０％であることを特徴とする請求項６に記載の液滴吐出ヘッド用回復方法。
【請求項８】
前記所定値が約５０ｋＰａであり、前記所定割合が約７０％であることを特徴とする請求項６に記載の液滴吐出ヘッド用回復方法。
【発明の詳細な説明】
【技術分野】
【０００１】
本発明は、インクジェット記録ヘッドなどの液滴吐出ヘッドの吐出性能を維持回復するための液滴吐出ヘッド用用回復装置及び回復方法に関する。
【背景技術】
【０００２】
インクジェット記録ヘッド等の液滴吐出ヘッドは広く普及しており、インクジェット記録装置等において使用されている。液滴吐出ヘッドにおいては、液滴（インク滴）を吐出する吐出口（ノズル口）からのインク中溶媒の蒸発によって吐出口内のインクの粘度が上昇したり、吐出口にインクや埃等の異物が付着したりすると、インク滴が正常に吐出されない吐出不良（不吐出を含む）や、インク滴の吐出方向が偏向するヨレなどの不都合が発生する可能性がある。
【０００３】
そのため、インクジェット記録装置等においては、吐出口からのインク中溶媒の蒸発を抑えるためのキャップ、溶媒蒸発により増粘したインクを吐出口から吸引排出するための吸引手段、吐出口付近に付着したインクや埃等の異物を掃拭除去するためのワイピング手段などを備えた液滴吐出ヘッド用回復装置が装着されている。
【０００４】
前記キャップは、カムやモータ等からなる周知の着脱手段によって吐出ヘッドの吐出口面に対して接離方向に駆動可能に構成されており、吐出口面に当接するキャッピングポジションと吐出口面から離間される離脱ポジションとの間で往復移動することができる。キャップには吸引口が設けられており、該吸引口には吸引チューブを介して前記吸引手段である吸引ポンプが接続されている。キャップが前記キャッピングポジションにあるときに吸引ポンプを作動させることにより、キャップと吐出口面との間に形成されるキャップ内空間を負圧にすることにより、吐出口からインクを吸引排出する吸引動作を行うことができる。
【０００５】
このような吸引動作によって、吐出口からインクと共に増粘インクや気泡等を吸引排出することで吐出口内のインクをリフレッシュすることができ、それによって、液滴吐出ヘッドの吐出性能を維持回復させることができる。このような吸引動作（吸引シーケンス）を実行した後では、多くの場合、吐出口から吸引排出されたインクの一部が吐出口面に残留することになる。このような残留インクによって吐出口が覆われると、前述のような吐出不良や吐出ヨレといった不都合が生じることがあるため、多くの場合、吸引シーケンスの後に前記ワイピング手段によって吐出口面上の残留インクを拭き取り除去することが行われている。
【特許文献１】特開２０００−２０３０６０号公報
【発明の開示】
【発明が解決しようとする課題】
【０００６】
それでも、多くのインクが吐出口面に残ってしまうと、吸引シーケンス後に行われるワイピングの際に、吐出口面に残ったインクが機内に飛び散ったり、ワイパー等に付着したインクが放置中に増粘して次回のワイピングの際にワイピング不良を起こすなどの不都合が発生することがある。このような不都合を解消することを目的として、特許文献１（特開２０００−２０３０６０号公報）には、キャップを前記キャッピングポジションよりもさらに吐出口面に接近させることによりキャップ内に装填されたインク吸収体を吐出口に当接させた後に吸引ポンプを動作させることで、吐出口面に残留するインクの量を少量に抑えるようにした技術が開示されている。
【０００７】
しかしながら、インク吸収体を吐出口に当接させると、インク吸収体上の埃等の異物が吐出口に付着したり、吐出口内部まで進入したりして、前述のような不吐出やヨレといった不都合が発生することがある。本発明はこのような技術的課題に鑑みてなされたものであり、本発明の目的は、埃等の異物を吐出口に付着させたり、吐出口内部にまで進入させたりすることなく、吸引動作の後に吐出口面に残留するインクの量を少量に抑えることができる液滴吐出ヘッド用回復装置及び回復方法を提供することである。
【課題を解決するための手段】
【０００８】
本発明による液滴吐出ヘッド用回復装置は、上記目的を達成するため、液滴吐出ヘッドの吐出口を覆うために吐出口面に当接可能なキャップと、前記吐出口面と前記キャップとの間のキャップ内空間を負圧にするための吸引手段と、を備える液滴吐出ヘッド用回復装置において、前記キャップ内空間に、前記吸引手段が前記キャップ内空間を負圧にしているときに前記吐出口面には接触するが前記吐出口には接触しないインク吸収体を装填することを特徴とする。
【０００９】
本発明による液滴吐出ヘッド用回復方法は、上記目的を達成するため、液滴吐出ヘッドの吐出口を覆うために吐出口面に当接可能なキャップと、前記吐出口面と前記キャップとの間のキャップ内空間を負圧にするための吸引手段と、を用いる液滴吐出ヘッド用回復方法において、前記キャップ内空間に、前記吸引手段が前記キャップ内空間を負圧にしているときに前記吐出口面には接触するが前記吐出口には接触しないインク吸収体を装填し、前記吸引手段によって前記キャップ内空間を負圧にした後、前記大気連通制御手段によって前記キャップ内空間を大気と連通させることを特徴とする。
【００１０】
本発明による別の液滴吐出ヘッド用回復方法は、上記目的を達成するため、液滴吐出ヘッドの吐出口を覆うために吐出口面に当接可能なキャップと、前記吐出口面と前記キャップとの間のキャップ内空間を負圧にするための吸引手段と、を用いる液滴吐出ヘッド用回復方法において、前記キャップ内空間に、前記吸引手段が前記キャップ内空間を負圧にしているときに前記吐出口面には接触するが前記吐出口には接触しないインク吸収体を装填し、前記キャップ内空間に絶対値が所定値以上の負圧を一気に作用させた後、前記キャップ内空間の負圧の絶対値が前記所定値の所定割合以上である間に、前記キャップ内空間を前記大気連通制御手段によって大気と連通させることを特徴とする。
【発明の効果】
【００１１】
本発明によれば、キャップ内空間に、吸引手段がキャップ内空間を負圧にしているときに吐出口面には接触するが吐出口には接触しないインク吸収体を装填する構成を採るので、インク吸収体の埃等の異物が吐出口に付着したり、吐出口内部にまで進入したりして、液滴吐出ヘッドの不吐出や吐出ヨレを生じさせることなく、吸引シーケンス後に吐出口面に残留するインクの量を少量に抑えることができる液滴吐出ヘッド用回復装置及び回復方法が提供される。
それによって、吸引シーケンスの後に多くの場合行われるワイピングに際し、吐出口面に残ったインクが飛び散ったり、ワイパー等に付着したインクが放置中に増粘して次回のワイピングの際にワイピング不良を起こすなどの不都合を解消することができる。
【発明を実施するための最良の形態】
【００１２】
以下、図面を参照して本発明の実施形態を具体的に説明する。なお、各図面を通して同一符号は同一又は対応部分を示すものである。図１は本発明の一実施形態に係る液滴吐出ヘッド用回復装置を備えたインクジェット記録装置の斜視図である。図１において、インクジェット記録装置は、記録紙等の被記録材を記録位置へ送り込むための給紙部１と、被記録材を搬送するための搬送部２と、液滴吐出ヘッドであるインクジェット記録ヘッド１００を搭載して被記録材に沿って移動するキャリッジ４と、液滴吐出ヘッド１００の液滴吐出性能を適正に維持回復するための液滴吐出ヘッド用回復装置５と、を備えている。キャリッジ４は、ガイドシャフト６に沿って往復移動可能に案内支持されており、モータ７を駆動源として図１中の両矢印Ａ方向に移動する。
【００１３】
回復装置５は、非記録時に吐出ヘッド１００の吐出口を覆うためのキャップ２１０を有するキャッピング手段、吐出口が配された吐出口面を拭き取り清掃するためのワイピング手段、並びに、吐出口をキャッピングした状態で該吐出口から液体を吸引する吸引手段などを具備している。
本実施形態における吐出ヘッド１００は、熱エネルギーを利用してインクを吐出するインクジェット記録ヘッドであって、熱エネルギーを発生するための電気熱変換体を備えたものである。また、吐出ヘッド１００は、電気熱変換体により印加される熱エネルギーによってインク内に膜沸騰を生じさせ、その時に生じる気泡の成長、収縮による圧力変化を利用して吐出口よりインクを吐出させ、記録を行うものである。
【００１４】
図２は図１中の液滴吐出ヘッド用回復装置５の構成を示す斜視図である。図２において、回復装置５は、回復手段としてのキャッピング手段２０、ワイピング手段３０及び吸引手段４０を備えている。これらの回復手段は回復装置５のベース部１０上に配設されている。図２中の両矢印Ａは、吐出ヘッド１００を搭載したキャリッジ４の移動方向を示す。ゴムやエラストマー等の弾性材料から成るキャップ２１０は、吐出ヘッド１００の吐出口面１０１（図４）に密着して吐出口を密閉するためのものであり、剛体であるキャップホルダ２２に取り付けられており、記録を行わないとき、あるいは吸引回復を行うときに駆動手段によって吐出口面１０１と密着可能な位置へ移動させられる。
【００１５】
図２において、ワイピング手段３０は、吐出ヘッド１００の吐出口面に付着した液体や紙粉等の異物を拭き取り除去するためのものであり、吐出口面に摺擦可能なワイパー３１をワイパーホルダ３２に取り付け、ワイパーホルダ３２を吐出口面に対して当接離間方向及び摺擦方向に移動させることによりワイピング動作が可能なように構成されている。
吸引手段４０は、キャップ２１０に吸引チューブ２２０を介して接続された吸引ポンプ２２５によって構成されている。
【００１６】
図３は第１の実施形態のキャップの平面図であり、図４は第１の実施形態に係る液滴吐出ヘッド用回復装置の縦断面図である。図３及び図４において、１００は液滴吐出ヘッドであるインクジェット記録ヘッドであり、１０１は液滴（インク）を吐出するための吐出口が配設された吐出口面である。吐出口面１０１における吐出口は、複数の吐出口を所定ピッチで配列した１列又は複数列の吐出口列として配設しても良く、単数又は複数の吐出口を適宜配設しても良い。２１０は吐出口を密閉するために吐出口面１０１に密着可能なキャップである。キャップ２１０の少なくとも周辺当接部は吐出口面１０１との密着性を確保するためにゴム等の弾性材料で形成されている。
【００１７】
キャップ２１０は、カムやモータ等からなる着脱手段によって図４中の矢印Ｇ方向に往復移動可能であり、図４に示すように吐出口面１０１に当接するキャッピングポジションと、不図示の離間ポジションとの間を往復移動することができる。キャップ２１０には吸引口２１２が設けられており、吸引口２１２は吸引チューブ２２０を介して吸引ポンプ２２５に接続されている。吸引ンプ２２５は、キャップ２１０が上記キャッピングポジションに位置しているときにキャップ２１０と吐出口面１０１とによって形成されるキャップ内空間２５０を負圧にするべく、吸引口２１２を通して吸引動作を行う。
【００１８】
キャップ２１０には大気連通口２１３が設けられており、大気連通口２１３に接続された大気連通チューブ２３０には大気連通弁２３５が設けられている。この大気連通弁２３５は、キャップ内空間２５０を大気と連通させるか否かを制御するためのものである。つまり、前記大気連通弁２３５は、キャップ内空間２５０を大気と連通させるか否かを制御する大気連通制御手段を構成するものである。液滴吐出ヘッド１００の吐出口は、キャップ２１０によってキャッピングされる範囲内に配置されている。キャップ内空間２５０には、多孔質材等のインク吸収体２４０が装填されている。
【００１９】
図３及び図４において、多孔質材からなるインク吸収体２４０の吐出口面１０１側の面に凹部Ｃが形成されている。この凹部Ｃは、キャップ２１０が図４に示すような吐出口面１０１に当接するキャッピングポジションに位置しているときに吐出口面１０１に対向する面の中央部に形成されている。また、液滴吐出ヘッド１００の吐出口面１０１に配された吐出口は（不図示）は、キャップ２１０がキャッピングポジションに位置するときにインク吸収体２４０の凹部Ｃと対向する位置に配されている。
【００２０】
以下に、第１の実施形態に係る液体吐出ヘッド用回復装置の吸引シーケンス（吸引動作）について説明する。吸引シーケンスを実行する際は、まず、液滴吐出ヘッドであるインクジェット記録ヘッド１００をキャップ２１０と対向する位置へ移動させる。次に、キャップ２１０を吐出口面１０１に対して接離させる着脱手段によって、該キャップ２１０を図４に示すような吐出口面１０１に当接するキャッピングポジションまで移動させる。このキャッピングポジションにおいては、インク吸収体２４０の前記凹部Ｃの周りの部位Ｄと吐出口面１０１との間の距離は約０．３ｍｍである。
【００２１】
言い換えると、キャップ２１０やインク吸収体２４０のサイズや形状等は、図４のキャッピングポジションのときにインク吸収体２４０の凹部Ｃの周りの部位Ｄと吐出口面１０１との間の距離（隙間）が約０．３ｍｍになるように設定されている。従って、このとき、インク吸収体２４０は、吐出ヘッド（記録ヘッド）１００の吐出口面１０１及び吐出口のいずれにも接触していない。
【００２２】
もし、このときにインク吸収体２４０が吐出口面１０１に接触していると、その分キャップ２１０の吐出口面１０１に対する当接圧が弱まることになり、キャップ２１０と吐出口面１０１との当接部分に若干の隙間が生じる可能性があり、そのため、放置中における吐出口からのインク中溶媒蒸発防止効果が弱まってしまう場合があり、好ましくない。キャップ２１０を上記のキャッピングポジションに移動させた後、大気連通弁２３５を閉じる。次いで、ピストンポンプである吸引ポンプ２２５の吸引動作（ピストン移動）を開始する。
【００２３】
すると、インクジェット記録ヘッド１００の吐出口からインクが吸引排出されてくる。このとき、ピストンポンプ２２５は、記録ヘッド１００の吐出口からインクが吸引排出される速度（単位時間あたりに吸引排出されるインクの量）よりも、ピストンポンプ２２５の吸引速度（単位時間あたりのピストン移動量にポンプシリンダの断面積を乗じた値）の方が圧倒的に大きくなるように動作しているので、ピストンの移動に伴い、キャップ内空間２５０の負圧の絶対値が増加していく。それに伴って、ゴム等の弾性材料で構成されるキャップ２１０は、吐出口を密閉したままキャップ内空間２５０の体積が減少する方向に弾性変形していく。
【００２４】
キャップ２１０は、吐出口面１０１に対する当接圧が所定値になるように構成されたバネ等を含む押圧手段（不図示）によって該吐出口面に押圧されており、上記キャッピングポジションに位置しているときでも、図４中の矢印Ｇで示す上下方向に約２ｍｍ程度は移動可能である。そのため、キャップ２１０は、上記弾性変形に伴って図４中の矢印ＧＵの方向へ上昇していく。そして、キャップ内空間２５０の負圧の絶対値が３０ｋＰａ程度まで強まると、インク吸収体２４０の図３及び図４に示す部位Ｄ（以下、吸引時吐出口面接触部Ｄと称する）が吐出口面１０１に接触する。
【００２５】
インク吸収体２４０の吸引時吐出口面接触部Ｄが吐出口面１０１に接触すると、この吸引時吐出口面接触部Ｄに対向する吐出口面１０１の部位（以下、吐出口面１０１のインク吸収体接触部と称する）に残されている液体（インク）は、インク吸収体２４０内に吸収されることになる。そのため、吸引シーケンスの後に吐出口面１０１のインク吸収体接触部に残るインクの量を極めて少量に抑えることができる。一方、インクジェット記録ヘッド１００の吐出口は、上述したように、インク吸収体２４０の凹部Ｃに対向する位置に配されているため、このようにインク吸収体２４０の部位Ｄが吐出口面１０１に接触するときでも、該インク吸収体２４０が吐出口に接触することはない。
【００２６】
吐出口面１０１のうちのインク吸収体２４０が接触しない部分にはある程度のインクが残ってしまうことになる。しかし、前述のように吐出口面１０１のインク吸収体接触部（インク吸収体２４０と接触する部位）に残るインクの量が極めて少量になるため、総合的には、吸引シーケンス後に吐出口面１０１に残ってしまうインクの量を十分少量に抑えることができる。インク吸収体２４０の吸引時吐出口面接触部（吸引時に吐出口面１０１に接触する部位）Ｄが吐出口面１０１に接触した後、すなわちキャップ内空間２５０の負圧の絶対値が３０ｋＰａ程度にまで達した後に、大気連通弁２３５を開いて該キャップ内空間を大気と連通させる。
【００２７】
キャップ内空間２５０を大気と連通させると、該キャップ内空間の負圧は「０」（＝大気圧）となり、弾性変形していたキャップ２１０は元の状態に戻る。すなわち、インク吸収体２４０の吸引時吐出口面接触部Ｄは吐出口面１０１から離れる。大気連通弁２３５を開けた後も、ピストンポンプ２２５のピストン移動を継続させ、キャップ内空間２５０の内部のインク（特にインク吸収体２４０に吸収されているインク）を吸引ポンプ２２５内へ吸引する。最後に、上記着脱手段によってキャップ２１０を吐出口面１０１から離間した離脱ポジションへ移動させる。
【００２８】
以上のような、液滴吐出ヘッド用回復装置及び回復方法によって、埃等の異物が吐出口に付着したり、吐出口内部にまで進入したりすることなく、吸引シーケンス後に吐出口面１０１に残留するインクの量を少量に抑えることができる。なお、ピストンポンプ２２５内に吸引されたインクは、該ポンプ内のインク排出動作（ピストンの反対方向への移動、弁の切り換え、その他の排出動作）によって回復装置５から排出される（図４中の矢印Ｗ参照）。
【００２９】
図５は第２の実施形態のキャップの平面図であり、図６は第２の実施形態に係る液滴吐出ヘッド用回復装置の縦断面図である。第１の実施形態においては、ピストンポンプ２２５のピストン移動によって記録ヘッド１００の吐出口面１０１に配設された吐出口からインクを吸引排出させつつ、キャップ内空間２５０の負圧の絶対値を増加させていき、該キャップ内空間の負圧の絶対値が３０ｋＰａ程度に達した後に大気連通弁２３５を開放するように構成されている。
【００３０】
これに対し、本実施形態においては、絶対値が３０ｋＰａ以上の負圧を一気にかつ極く短時間だけキャップ内空間２５０に作用させることにより、吐出ヘッド１００の吐出口から吸引排出されるインクの量を第１の実施形態よりも少なく抑えつつ、必要かつ十分な吸引効果を発揮するように構成される。本実施形態によれば、吸引シーケンス後に吐出口面に残ってしまうインクの量を第１の実施形態と同等もしくはそれ以上に少量に抑えることができる。
【００３１】
図５及び図６において、第２の実施形態に係る液滴吐出ヘッド用回復装置は、吸引チューブ２２０のピストンポンプ２２５より上流側の部位、すなわち吸引チューブ２２０の吸引口２１２とピストンポンプ２２５との間の部位に負圧チャージ弁２２３が設けられている点で図３及び図４の第１の実施形態に係る液滴吐出ヘッド用回復装置と相違しているが、その他の点では実質的に同じ装置構成をしており、それぞれ対応する部分を同一符号で示し、それらの詳細説明は省略する。
【００３２】
以下に、第２の実施形態に係る回復装置の吸引シーケンスについて説明する。図５及び図６において、まず、インクジェット記録ヘッド１００をキャップ２１０と対向する位置へ移動させる。次に、キャップ２１０を吐出口面１０１に対して接離させる着脱手段によって、該キャップを図６に示すように吐出口面１０１に当接するキャッピングポジションへ移動させる。このとき、インク吸収体２４０の吸引時吐出口面接触部Ｄと吐出口面１０１との間の距離は第１の実施形態の場合と同様に約０．３ｍｍである。従って、このときには、インク吸収体２４０は吐出口にも吐出口面１０１にも接触していない。キャップ２１０をキャッピングポジションに移動させた後、負圧チャージ弁２２３及び大気連通弁２３５を閉じる。
【００３３】
そして、ピストンポンプ２２５のピストン移動を開始させて負圧チャージ弁２２３の上流側に負圧を蓄積していく。所定の絶対値の大きい負圧（以下、単に高い負圧あるいは高負圧と称する）が蓄積された後、負圧チャージ弁２２３を開き、この負圧を一気にキャップ内空間２５０に作用させる。このとき、すなわち負圧チャージ弁２２３を開放した直後のキャップ内空間２５０の負圧の絶対値は３０ｋＰａ以上である。言い換えると、このときのキャップ内空間２５０の負圧（絶対値）が３０ｋＰａ以上になるような負圧が蓄積されるまで、負圧チャージ弁２２３を閉じた状態でピストンポンプ２２５のピストン移動を継続し、その後に負圧チャージ弁２２３を開放する。
【００３４】
そのため、負圧チャージ弁２２３を開放すると、インクジェット記録ヘッド１００の吐出口からインクが吸引排出されてくるのとほぼ同時に、インク吸収体２４０の吸引時吐出口面接触部Ｄが吐出口面１０１に接触する。従って、吐出口面１０１のインク吸収体接触部においては、インク吸収体２４０の吸引時吐出口面接触部Ｄが接触した後で、インクジェット記録ヘッド１００の吐出口から吸引排出されてくるインクが、キャップ内空間２５０の内部であって吐出口面１０１のインク吸収体接触部と対向する部分に流れてくることになる。そのため、吸引シーケンスの後に吐出口面１０１のインク吸収体接触部に残るインクの量を、第１の実施形態の場合よりもさらに少量に抑えることができる。
【００３５】
また、インクジェット記録ヘッド１００の吐出口は、第１の実施形態の場合と同様、インク吸収体２４０の凹部Ｃに対向する位置に配置されているので、このとき（吐出口からインクが吸引排出されてくるとき）においても、インク吸収体２４０が吐出口に接触することはない。インクを吸引排出した後であって上記負圧チャージ弁２２３の開放から極く短時間の後に、大気連通弁２３５を開放してキャップ内空間２５０を大気と連通させる。この大気連通弁２３５を開放するタイミングは、インク吸収体２４０の吸引時吐出口面接触部Ｄが負圧チャージ弁２２３開放直後にすでに吐出口面１０１に接触しているため、キャップ内空間２５０の負圧値に依存することなく自由に設定することができる。
【００３６】
すなわち、第１の実施形態の場合のようにキャップ２１０の図４中の矢印ＧＵ方向への上昇量を間接的に決定するキャップ内空間２５０の負圧値に依存することなく、自由に設定することができる。従って、吸引シーケンス本来の目的を達成するのに必要かつ十分な量のインクを吸引排出するように設定することができる。ここで、吸引シーケンス本来の目的とは、インクジェット記録ヘッド１００の吐出口から、吐出口近傍の増粘インクや吐出口内の気泡等を吸引除去することである。そのため、吸引シーケンスによってインクジェット記録ヘッド１００の吐出口から吸引排出されるインクの量を、第１の実施形態の場合よりも少なく抑えつつ必要かつ十分な吸引効果を得ることができる。
【００３７】
そして、大気連通弁２３５を開放した後もピストンポンプ２２５のピストン移動を継続させることで、キャップ内空間２５０の内部のインク、特にインク吸収体２４０に吸収されているインクをピストンポンプ２２５内へ吸引する。最後に、前記着脱手段によってキャップ２１０を前記キャッピングポジションから前記離脱ポジションへ移動させる。なお、図５及び図６を参照して説明した本実施形態における吸引シーケンスを「高負圧吸引」と称する。
【００３８】
このような第２の実施形態に係る液滴吐出ヘッド用回復装置及び回復方法によれば、吸引シーケンスによって記録ヘッド１００の吐出口から吸引排出されるインクの量を第１の実施形態の場合よりも少なく抑えつつ、埃等の異物が吐出口付近に付着したり、吐出口内部まで進入したりすることなく、吸引シーケンス後に吐出口面１０１に残留するインクの量を少量に抑えることができる。ピストンポンプ２２５内に吸引されたインクは、該ポンプ内のインク排出動作（ピストンの反対方向への移動、弁の切り換え、その他の排出動作）によって回復装置５から排出される（図６中の矢印Ｗ参照）。
【００３９】
このような高負圧吸引を効果的に行うためには、負圧チャージ弁２２３を開放する時のキャップ内空間２５０の負圧（絶対値）を３０ｋＰａ以上にするとともに、大気連通弁２３５を開放する時のキャップ内空間２５０の負圧（絶対値）を上記負圧チャージ弁開放時の負圧（絶対値）の５０％、すなわち１５ｋＰａ以上にすることが好ましい。より好ましくは、負圧チャージ弁２２３を開放する時のキャップ内空間２５０の負圧（絶対値）を５０ｋＰａ以上にするとともに、大気連通弁２３５を開放する時のキャップ内空間２５０の負圧（絶対値）をこの負圧チャージ弁開放時の負圧（絶対値）の７０％、すなわち３５ｋＰａ以上にすることが望ましい。
【００４０】
以上説明した第２の実施形態においては、吸引ポンプ２２５の吸引動作を開始してから負圧チャージ弁２２３を開放するまでの時間や、負圧チャージ弁２２３を開放してから大気連通弁２３５を開放するまでの時間等を適宜調整することによって、負圧チャージ弁２２３を開放する時のキャップ内空間２５０の負圧や、大気連通弁２３５を開放する時のキャップ内空間２５０の負圧を調整することができる。
【００４１】
なお、前述の第１及び第２の実施形態においては、キャップ２１０がキャッピングポジションに位置していても、吸引ポンプ２２５がキャップ内空間２５０を負圧にしていないときには、インク吸収体２４０が吐出口面１０１に接触しない場合について説明した。しかし、吐出口面１０１にインク吸収体２４０が接触しても、接触の程度が若干であれば、キャップ２１０の吐出口面１０１に対する当接圧が弱まって該キャップと該吐出口面が接触している部分に隙間が生じることはなく、そのため、放置中における吐出口からのインク中溶媒の蒸発防止効果が弱まってしまうようなことはない。従って、吸引ポンプ２２５がキャップ内空間２５０を負圧にしているとき以外であっても、若干であれば、インク吸収体２４０が吐出口面１０１に接触しても構わない。
【００４２】
また、前述の第１及び第２の実施形態においては、吸引ポンプ２２５がキャップ内空間２５０を負圧にしたときに生じるキャップ２１０の弾性変形によってインク吸収体２４０が吐出口面１０１に接触する場合について説明したが、本発明はこのような場合に限定されるものではない。本発明は、例えば、前記キャッピングポジションよりも上方（図４中の矢印ＧＵ方向）に別に吸引ポジションを設け、吸引ポンプ２２５の吸引動作開始前に前記着脱手段によってキャップ２１０をこの吸引ポジションへ移動させることで、インク吸収体２４０が吐出口面１０１に接触するように構成しても良く、このような構成によっても同様の作用効果を奏するものである。
【００４３】
さらに、前述の第１及び第２の実施形態においては、凹部Ｃを有する単数の部材からなるインク吸収体２４０をキャップ内空間２５０に装填する場合を示したが、このインク吸収体は複数の部材から構成されていても良い。本発明は、例えば、第１及び第２の実施形態におけるインク吸収体２４０の吐出口面接触部を除いた部分に相当する平板形状をしたインク吸収体の上に、吐出口面接触部に相当するドーナツ形状などの中抜き形状をしたインク吸収体を重ねて配置し、このような２個の部材からなるインク吸収体をキャップ内空間に装填するように構成しても良い。
【００４４】
また、前述の第１及び第２の実施形態においては、キャップ２１０に設ける吸引口２１２及び大気連通口２１３をインク吸収体２４０の凹部Ｃに対向する位置に配置する場合を示したが、キャップの吸引口及び大気連通口は必ずしもインク吸収体の凹部に対向する位置に配置する必要はない。さらに、前述の第１及び第２の実施形態においては、液滴吐出ヘッド１００がインクジェット記録ヘッドである場合を例に挙げて説明したが、本発明における液滴吐出ヘッドはインクジェット記録ヘッドに限定されるものではなく、液滴を吐出するヘッドであれば他の方式のものでも良い。
【００４５】
以上説明した実施形態によれば、キャップ内空間に、吸引手段がキャップ内空間を負圧にしているときに吐出口面には接触するが吐出口には接触しないインク吸収体を装填する構成を採るので、インク吸収体の埃等の異物が吐出口に付着したり、吐出口内部にまで進入したりして、液滴吐出ヘッドの不吐出や吐出ヨレを生じさせることなく、吸引シーケンス後に吐出口面に残留するインクの量を少量に抑えることができ、それによって、吸引シーケンスの後に多くの場合行われるワイピングに際し、吐出口面に残ったインクが飛び散ったり、ワイパー等に付着したインクが放置中に増粘して次回のワイピングの際にワイピング不良を起こすなどの不都合を解消することができる液滴吐出ヘッド用回復装置及び回復方法が提供される。
【００４６】
なお、以上の実施形態では、キャリッジに搭載された液滴吐出ヘッドを使用するシリアルタイプの記録装置における液滴吐出ヘッド用回復装置及び回復方法の場合を例に挙げて説明したが、本発明は、副走査のみで記録するラインタイプの記録装置など、他の記録方式の記録装置における液滴吐出ヘッド用回復装置及び回復方法に対しても同様に適用可能なものであり、同様の作用効果を奏するものである。また、本発明は、液滴吐出ヘッドを用いる装置であれば、１個の吐出ヘッドを用いる装置、異なる色のインクを用いる複数の吐出ヘッドを用いる装置、あるいは同一色彩で異なる濃度のインクを用いる複数の吐出ヘッドを用いる装置、さらには、これらを組み合わせた装置の液路吐出ヘッド用回復装置及び回復方法の場合にも、同様に適用することができ、同様の効果を達成し得るものである。
【図面の簡単な説明】
【００４７】
【図１】本発明の一実施形態に係る液滴吐出ヘッド用回復装置を備えたインクジェット記録装置の斜視図である。
【図２】図１中の液滴吐出ヘッド用回復装置の構成を示す斜視図である。
【図３】第１の実施形態のキャップの平面図である。
【図４】第１の実施形態に係る液滴吐出ヘッド用回復装置の縦断面図である。
【図５】第２の実施形態のキャップの平面図である。
【図６】第２の実施形態に係る液滴吐出ヘッド用回復装置の縦断面図である。
【符号の説明】
【００４８】
１        給紙部
２        搬送部
４        キャリッジ
５        液滴吐出ヘッド用回復装置
２０      キャッピング手段
２２      キャップホルダ
３０      ワイピング手段
３１      ワイパー
３２      ワイパーホルダ
４０      吸引手段
１００    液滴吐出ヘッド（インクジェット記録ヘッド）
１０１    吐出口面
２１０    キャップ
２１２    吸引口
２１３    大気連通口
２２０    吸引チューブ
２２３    負圧チャージ弁
２２５    吸引ポンプ（ピストンポンプ）
２３０    大気連通チューブ
２３５    大気連通制御手段（大気連通弁）
２４０    インク吸収体
２５０    キャップ内空間
Ｃ        凹部
【図１】
2006312262.tif 000003
【図２】
2006312262.tif 000004
【図３】
2006312262.tif 000005
【図４】
2006312262.tif 000006
【図５】
2006312262.tif 000007
【図６】
2006312262.tif 000008